【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
入力された文書イメージを処理する画像処理装置の制御方法であって、
検索手段が、入力された文書イメージに基づいて、記憶手段に格納されているオリジナル電子データを検索する検索ステップと、
ベクトル化手段が、前記検索ステップでの検索結果、オリジナル電子データが特定されなかった場合、前記入力された文書イメージに対してベクトル化処理を実行するベクトル化ステップと、
格納手段が、前記ベクトル化ステップでベクトルデータ化された該文書イメージのデータをオリジナル電子データとして前記記憶手段に格納する格納ステップと
を有することを特徴とする画像処理装置の制御方法。
【請求項２】
更に、通知手段が、前記検索ステップでオリジナル電子データが特定された場合は当該検索されたオリジナル電子データの格納アドレスを通知し、前記検索ステップでオリジナル電子データが特定されなかった場合は前記ベクトル化ステップでベクトルデータ化された文書イメージのデータが格納された格納アドレスを通知する通知ステップを有することを特徴とする請求項１に記載の画像処理装置の制御方法。
【請求項３】
前記検索ステップでは、前記入力された文書イメージに付加されている、前記オリジナル電子データが格納されているアドレスを示す識別子を認識し、該識別子を認識した結果に基づいて前記オリジナル電子データを検索することを特徴とする請求項１に記載の画像処理装置の制御方法。
【請求項４】
前記オリジナル電子データが格納されているアドレスを示す識別子として、２次元バーコード、文字列、電子透かしのうちの少なくともいずれかが使用されることを特徴とする請求項３に記載の画像処理装置の制御方法。
【請求項５】
前記ベクトル化ステップでは、前記文書イメージに含まれるオブジェクトの属性に基づいて複数の領域に分割し、当該分割された領域毎にベクトル化処理を実行することを特徴とする請求項１に記載の画像処理装置の制御方法。
【請求項６】
前記ベクトル化ステップでは、文字属性の領域に対し、有意な画素の輪郭を抽出し、当該抽出された輪郭に基づいてアウトラインベクトルを生成することを特徴とする請求項５に記載の画像処理装置の制御方法。
【請求項７】
前記ベクトル化ステップでは、文字属性の領域に対し、文字認識した結果と文字毎に予め定められたベクトルデータとに基づいて、当該文字属性領域のベクトルデータを生成することを特徴とする請求項５に記載の画像処理装置の制御方法。
【請求項８】
前記ベクトル化ステップでは、文字認識の精度を高、低の２段階に分けた場合、文字属性の領域に対し、文字認識精度が高の場合は、文字認識した結果と文字毎に予め定められたベクトルデータとに基づいて、当該文字属性領域のベクトルデータを生成し、文字認識精度が低の場合は、文字を構成する画素の輪郭に基づいてアウトラインベクトルを生成することを特徴とする請求項５に記載の画像処理装置の制御方法。
【請求項９】
前記ベクトル化ステップでは、文字属性の領域に対し、同一の文字イメージを判断し、該同一と判断された文字イメージ毎に、当該文字イメージから生成されたベクトルデータを適用することによって、当該文字属性領域のベクトルデータを生成することを特徴とする請求項５に記載の画像処理装置の制御方法。
【請求項１０】
前記ベクトル化ステップでは、線属性又は線画属性の領域に対し、有意な画素の輪郭を抽出し、当該抽出された輪郭に基づいてアウトラインベクトルを生成することを特徴とする請求項５に記載の画像処理装置の制御方法。
【請求項１１】
前記ベクトル化ステップでは、表属性の領域に対し、有意な画素の輪郭を抽出し、当該抽出された輪郭に基づいてアウトラインベクトルを生成することを特徴とする請求項５に記載の画像処理装置の制御方法。
【請求項１２】
前記ベクトル化ステップでは、表属性の領域に対して、罫線部分については当該罫線の輪郭に基づいてアウトラインベクトルを生成し、文字部分については文字属性の領域と同様のベクトル化処理を実行することを特徴とする請求項５に記載の画像処理装置の制御方法。
【請求項１３】
前記ベクトル化ステップでは、写真属性の領域に対して、画像圧縮処理を実行することを特徴とする請求項５に記載の画像処理装置の制御方法。
【請求項１４】
更に、設定手段が、前記ベクトル化ステップでのベクトル化処理手法を、属性毎に設定する設定ステップを有し、
前記ベクトル化ステップでは、前記設定ステップで属性毎に設定されたベクトル化処理手法にしたがって、ベクトル化処理を実行することを特徴とする請求項５に記載の画像処理装置の制御方法。
【請求項１５】
前記設定ステップでは、ベクトルデータ化するか画像データとして扱うか設定可能であることを特徴とする請求項１４に記載の画像処理装置の制御方法。
【請求項１６】
前記設定ステップでは、文字認識結果を付加するか否か設定可能であることを特徴とする請求項１４に記載の画像処理装置の制御方法。
【請求項１７】
前記設定ステップでは、背景オブジェクトに含めるよう設定可能であることを特徴とする請求項１４に記載の画像処理装置の制御方法。
【請求項１８】
更に、印刷制御手段が、前記記憶手段に格納された電子データに対し、該電子データの格納アドレスを示す情報を付加して印刷出力する印刷制御ステップを有することを特徴とする請求項１に記載の画像処理装置の制御方法。
【請求項１９】
更に、フォーマット変換手段が、前記ベクトル化ステップでベクトルデータ化された文書イメージを、文書処理アプリケーションで扱える既定のフォーマットに変換するフォーマット変換ステップを有し、
前記格納ステップでは、当該フォーマット変換された文書イメージを格納することを特徴とする請求項１に記載の画像処理装置の制御方法。
【請求項２０】
前記検索ステップでは、前記文書イメージ内に含まれる文字を文字認識した結果に基づいて、前記オリジナル電子データを検索することを特徴とする請求項１に記載の画像処理装置の制御方法。
【請求項２１】
前記検索ステップでは、前記文書イメージ内の各オブジェクトのレイアウトに基づいて、前記オリジナル電子データを検索することを特徴とする請求項１に記載の画像処理装置の制御方法。
【請求項２２】
前記検索ステップは、前記オリジナル電子データの候補が複数見つかったとき、当該候補を表示してユーザに選択させるステップを含むことを特徴とする請求項１に記載の画像処理装置の制御方法。
【請求項２３】
前記ベクトル化ステップでは、前記検索ステップで特定されたオリジナル電子データがイメージデータであり、且つ、ベクトル化処理を実行するように指示された場合、当該イメージに対してベクトル化処理を実行することを特徴とする請求項１に記載の画像処理装置の制御方法。
【請求項２４】
コンピュータを画像処理装置として機能させるためのコンピュータプログラムであって、該コンピュータを、
入力された文書イメージに基づいて、記憶手段に格納されているオリジナル電子データを検索する検索手段と、
前記検索手段での検索結果、オリジナル電子データが特定されなかった場合、前記入力された文書イメージに対してベクトル化処理を実行するベクトル化手段と、
前記ベクトル化手段でベクトルデータ化された該文書イメージのデータをオリジナル電子データとして前記記憶手段に格納する格納手段
として機能させるためのコンピュータプログラム。
【請求項２５】
コンピュータを画像処理装置として機能させるためのコンピュータプログラムを格納したコンピュータ可読記憶媒体であって、該コンピュータを、
入力された文書イメージに基づいて、記憶手段に格納されているオリジナル電子データを検索する検索手段と、
前記検索手段での検索結果、オリジナル電子データが特定されなかった場合、前記入力された文書イメージに対してベクトル化処理を実行するベクトル化手段と、
前記ベクトル化手段でベクトルデータ化された該文書イメージのデータをオリジナル電子データとして前記記憶手段に格納する格納手段
として機能させるためのコンピュータプログラムを格納したコンピュータ可読記憶媒体。
【請求項２６】
文書イメージを処理する画像処理システムであって、
入力された文書イメージに基づいて、格納手段に格納されているオリジナル電子データを検索する検索手段と、
前記検索手段での検索結果、オリジナル電子データが特定されなかった場合、前記入力された文書イメージに対してベクトル化処理を実行するベクトル化手段と、
前記ベクトル化手段でベクトルデータ化された該文書イメージのデータをオリジナル電子データとして前記格納手段に格納する格納制御手段と
を有することを特徴とする画像処理システム。
【請求項２７】
少なくともスキャナを有するスキャナ搭載装置の動作を制御可能な情報処理装置であって、
前記スキャナ搭載装置でスキャンして得た文書イメージに基づいて、格納手段に格納されているオリジナル電子データを検索する検索手段と、
前記検索手段での検索結果、オリジナル電子データが特定されなかった場合、前記入力された文書イメージに対してベクトル化処理を実行するベクトル化手段と、
前記ベクトル化手段でベクトルデータ化された該文書イメージのデータをオリジナル電子データとして前記格納手段に格納する格納制御手段と
を有することを特徴とする情報処理装置。
【手続補正２】
【補正対象書類名】明細書
【補正対象項目名】０００８
【補正方法】変更
【補正の内容】
【０００８】
この課題を解決するため、例えば本発明の画像処理システムは以下の構成を備える。すなわち、
文書イメージを処理する画像処理システムであって、
入力された文書イメージに基づいて、格納手段に格納されているオリジナル電子データを検索する検索手段と、
前記検索手段での検索結果、オリジナル電子データが特定されなかった場合、前記入力された文書イメージに対してベクトル化処理を実行するベクトル化手段と、
前記ベクトル化手段でベクトルデータ化された該文書イメージのデータをオリジナル電子データとして前記格納手段に格納する格納制御手段とを有する。